(57)【要約】【課題】光ディスクに記録されているスクリーンセーバ用画像情報、または光ディスクからランダムに読み出した映像情報をスクリーンセーバ画像として表示できるようにし、スクリーンセーバ画像の多様性を高める。【解決手段】スクリーンセーバ用の画像情報が記録された光ディスク１に対して再生動作を行い再生停止した場合は、再生が停止して所定時間キー入力が無ければ、この光ディスク１のスクリーンセーバ用の画像情報を再生する制御を行い、スクリーンセーバ用の画像情報が記録されていない光ディスク１に対して再生動作を行い再生停止した場合は、再生が停止して所定時間キー入力が無ければこの光ディスク１からランダムに静止画像を再生し、所定時間毎に静止画像を切り換える制御を行うシステムコントローラ１４を光ディスク再生装置に備えた。【選択図】      図１
2004336262.tif 000002
【特許請求の範囲】
【請求項１】
光ディスクに記録された少なくとも映像情報を読み出して再生し、再生した映像情報の表示を行うための映像信号を生成し出力する光ディスク再生装置において、映像情報の再生が停止してから所定時間キー入力が無いか否かを判定するキー入力判定手段と、このキー入力判定手段により所定時間キー入力が無いと判定されたとき光ディスクにスクリーンセーバ用の画像情報が有るか否かを判定するスクリーンセーバ画像有無判定手段と、このスクリーンセーバ画像有無判定手段によりスクリーンセーバ用の画像情報が有ると判定されたとき前記光ディスクからスクリーンセーバ用の画像情報を読み出してスクリーンセーバ画像を再生するための制御を行うスクリーンセーバ再生制御手段と、前記スクリーンセーバ画像有無判定手段によりスクリーンセーバ用の画像情報が無いと判定されたとき前記光ディスクからランダムに読み出した映像情報をスクリーンセーバ画像として所定時間再生後に再びランダムに読み出した映像情報をスクリーンセーバ画像として所定時間再生することを繰り返す制御を行う画像再生制御手段と、スクリーンセーバ画像の再生中にキー入力が有ったとき元の再生位置に戻り再生を再開させるための制御を行う再生位置制御手段とを有するシステムコントローラを備え、光ディスクにスクリーンセーバ用の画像情報を予め記録しておき、このスクリーンセーバ用の画像情報が記録された光ディスクに対して再生動作を行っているときに再生停止した場合は、前記キー入力判定手段と前記スクリーンセーバ画像有無判定手段と前記スクリーンセーバ再生制御手段とに従ってスクリーンセーバ画像の制御を行い、スクリーンセーバ用の画像情報が記録されていない光ディスクに対して再生動作を行っているときに再生停止した場合は、前記キー入力判定手段と前記スクリーンセーバ画像有無判定手段と前記画像再生制御手段とに従ってスクリーンセーバ画像の制御を行うことを特徴とする光ディスク再生装置。
【請求項２】
光ディスクに記録された少なくとも映像情報を読み出して再生し、再生した映像情報の表示を行うための映像信号を生成し出力する光ディスク再生装置において、光ディスクにスクリーンセーバ用の画像情報を予め記録しておき、このスクリーンセーバ用の画像情報が記録された光ディスクに対して再生動作を行っているときに再生停止した場合は、再生が停止して所定時間キー入力が無ければ、この光ディスクのスクリーンセーバ用の画像情報をスクリーンセーバ画像として再生する制御を行い、スクリーンセーバ用の画像情報が記録されていない光ディスクに対して再生動作を行っているときに再生停止した場合は、再生が停止して所定時間キー入力が無ければ、この光ディスクからランダムに読み出した映像情報をスクリーンセーバ画像として再生し、所定時間毎にスクリーンセーバ画像を切り換える制御を行うシステムコントローラを備えたことを特徴とする光ディスク再生装置。
【請求項３】
前記システムコントローラは、映像情報の再生が停止してから所定時間キー入力が無いか否かを判定するキー入力判定手段と、このキー入力判定手段により所定時間キー入力が無いと判定されたとき光ディスクにスクリーンセーバ用の画像情報が有るか否かを判定するスクリーンセーバ画像有無判定手段と、このスクリーンセーバ画像有無判定手段によりスクリーンセーバ用の画像情報が有ると判定されたとき前記光ディスクからスクリーンセーバ用の画像情報を読み出してスクリーンセーバ画像を再生するための制御を行うスクリーンセーバ再生制御手段と、前記スクリーンセーバ画像有無判定手段によりスクリーンセーバ用の画像情報が無いと判定されたとき前記光ディスクからランダムに読み出した映像情報をスクリーンセーバ画像として所定時間再生後に再びランダムに読み出した映像情報をスクリーンセーバ画像として所定時間再生することを繰り返す制御を行う画像再生制御手段と、スクリーンセーバ画像の再生中にキー入力が有ったとき元の再生位置に戻り再生を再開させるための制御を行う再生位置制御手段とを有することを特徴とする請求項２に記載の光ディスク再生装置。
【発明の詳細な説明】
【０００１】
【発明の属する技術分野】
本発明は、例えばＤＶＤ（Ｄｉｇｉｔａｌ    Ｖｅｒｓａｔｉｌｅ  Ｄｉｓｃ）等の光ディスクに記録された映像情報を再生する光ディスク再生装置に関し、特に、スクリーンセーバの機能を有し、そのスクリーンセーバの制御なども行うシステムコントローラを備えた光ディスク再生装置に関する。
【０００２】
【従来の技術】
映像をデジタルデータとして長時間記録できる大容量のデジタルデータ記録媒体であるＤＶＤが普及している。ＤＶＤには、制御用の各種情報、複数の映像ストリーム、映像本編以外の静止画像などが記録されており、光ディスク再生装置では、そのＤＶＤを再生動作させる際に、複数の映像ストリームの中から一つの映像ストリームをユーザに選択させ、選択された映像ストリームを再生する機能や、ユーザの選択に応じて静止画像を再生する機能などが備えられている。
【０００３】
再生する映像ストリームや静止画像の選択は、光ディスク再生装置に接続された表示装置に表示された例えば選択受付用画像をユーザが操作することにより行われる。したがって、ユーザが選択に迷うような場合や、選択を行わずにそのまま長時間放置したり、あるいは再生を中断してそのまま長時間放置したりすると、表示装置には同じ画像が長時間表示されることになる。これにより、表示装置の画面が焼き付けを引き起こす可能性が高まるため、表示装置にとっては好ましくない。
【０００４】
そこで、このような表示装置の画面の焼き付けを防止するため、表示装置において、ある一定時間同じ画像が表示された場合、複数の静止画像を一定の時間間隔で表示させるスクリーンセーバの技術を採用した光ディスク再生装置が知られている（例えば特許文献１の映像再生装置）。
【０００５】
【特許文献１】
特開２０００−５０２０７号公報
【０００６】
【発明が解決しようとする課題】
このような従来の光ディスク再生装置では、光ディスクを再生して所定時間以上静止画像が表示装置に表示された場合、光ディスクからランダムに映像情報を読み出し、この映像情報をスクリーンセーバ画像として表示させている。しかしながら、光ディスクにスクリーンセーバ用の画像情報を予め記録しておき、所定時間以上静止画像が表示装置に表示された場合、その予め記録しておいたスクリーンセーバ用の画像情報を読み出してスクリーンセーバ画像とすることも考えられるが、上記従来の光ディスク再生装置では、スクリーンセーバ用の画像情報を光ディスクに記録したような場合には、このスクリーンセーバ用の画像情報を読み出してスクリーンセーバ画像として再生する機能が備えられていないので、この場合は、スクリーンセーバ画像を再生できず、スクリーンセーバ画像の多様性が劣るという課題が生じる。
【０００７】
本発明は、上記のような課題を解決するためになされたもので、スクリーンセーバの処理時に、光ディスクに予め記録されているスクリーンセーバ用の画像情報をスクリーンセーバ画像として表示でき、または光ディスクからランダムに読み出した映像情報をスクリーンセーバ画像として表示できるようにすることにより、表示装置の画面の焼き付きを防止できることは勿論、スクリーンセーバ画像の多様性を高めることができる光ディスク再生装置を提供することを目的とする。
【０００８】
【課題を解決するための手段】
上記目的を達成するために、請求項１の発明は、光ディスクに記録された少なくとも映像情報を読み出して再生し、再生した映像情報の表示を行うための映像信号を生成し出力する光ディスク再生装置において、映像情報の再生が停止してから所定時間キー入力が無いか否かを判定するキー入力判定手段と、このキー入力判定手段により所定時間キー入力が無いと判定されたとき光ディスクにスクリーンセーバ用の画像情報が有るか否かを判定するスクリーンセーバ画像有無判定手段と、このスクリーンセーバ画像有無判定手段によりスクリーンセーバ用の画像情報が有ると判定されたとき前記光ディスクからスクリーンセーバ用の画像情報を読み出してスクリーンセーバ画像を再生するための制御を行うスクリーンセーバ再生制御手段と、前記スクリーンセーバ画像有無判定手段によりスクリーンセーバ用の画像情報が無いと判定されたとき前記光ディスクからランダムに読み出した映像情報をスクリーンセーバ画像として所定時間再生後に再びランダムに読み出した映像情報をスクリーンセーバ画像として所定時間再生することを繰り返す制御を行う画像再生制御手段と、スクリーンセーバ画像の再生中にキー入力が有ったとき元の再生位置に戻り再生を再開させるための制御を行う再生位置制御手段とを有するシステムコントローラを備え、光ディスクにスクリーンセーバ用の画像情報を予め記録しておき、このスクリーンセーバ用の画像情報が記録された光ディスクに対して再生動作を行っているときに再生停止した場合は、前記キー入力判定手段と前記スクリーンセーバ画像有無判定手段と前記スクリーンセーバ再生制御手段とに従ってスクリーンセーバ画像の制御を行い、スクリーンセーバ用の画像情報が記録されていない光ディスクに対して再生動作を行っているときに再生停止した場合は、前記キー入力判定手段と前記スクリーンセーバ画像有無判定手段と前記画像再生制御手段とに従ってスクリーンセーバ画像の制御を行うことを特徴とする光ディスク再生装置を提供する。
【０００９】
この構成において、光ディスクに記録されている映像情報の再生が行われ、その後、再生が停止され、ユーザによるキー入力がキー入力判定手段により所定時間無いと、判定されると、次に、その光ディスクにスクリーンセーバ用の画像情報が有るか否かがスクリーンセーバ画像有無判定手段により判定される。その光ディスクにスクリーンセーバ用の画像情報が有ると判定されたとき、そのスクリーンセーバ用の画像情報がスクリーンセーバ再生制御手段の制御により読み出されてスクリーンセーバ画像が再生され、表示装置に表示される。
【００１０】
一方、その光ディスクにスクリーンセーバ用の画像情報が無いと判定されたとき、その光ディスクから画像再生制御手段の制御によりランダムに映像情報が読み出されてスクリーンセーバ画像が再生され、このスクリーンセーバ画像は所定時間毎に切り換えられる。即ち、光ディスクのデータエリアがランダムにアクセスされることにより、読み出される静止画像がそれぞれ異なり、ある静止画像が所定時間再生された後、次に異なる静止画像が所定時間再生され、また、その次に、異なる静止画像が所定時間再生されるというステップを繰り返す。このようにして、順次異なる静止画像がスクリーンセーバ画像として再生され、表示装置に表示される。
【００１１】
このようにスクリーンセーバ画像が表示装置に表示されているときに、ユーザからのキー入力が有ると、再生位置制御手段の制御により、元の再生位置に戻り再生を再開させる制御が行われ、これにより、その光ディスクにおいて再生を停止した位置から再生が再開されることになる。
【００１２】
この構成の光ディスク再生装置によれば、スクリーンセーバの処理時に、光ディスクに予め記録されているスクリーンセーバ用の画像情報をスクリーンセーバ画像として表示でき、または光ディスクからランダムに読み出した映像情報をスクリーンセーバ画像として表示できるようにすることにより、表示装置の画面の焼き付きを防止できることは勿論、光ディスクに予め記録されているスクリーンセーバ用の画像情報によりスクリーンセーバ画像を表示させる場合は、光ディスクが変わる度にスクリーンセーバ画像を変えることができ、また、光ディスクからランダムに読み出した映像情報によりスクリーンセーバ画像を表示させる場合は、所定時間間隔でスクリーンセーバ画像を変えることができ、したがって、どちらの場合も、スクリーンセーバ用のスクリーンセーバ画像の多様性を高めることができる。
【００１３】
請求項２の発明は、光ディスクに記録された少なくとも映像情報を読み出して再生し、再生した映像情報の表示を行うための映像信号を生成し出力する光ディスク再生装置において、光ディスクにスクリーンセーバ用の画像情報を予め記録しておき、このスクリーンセーバ用の画像情報が記録された光ディスクに対して再生動作を行っているときに再生停止した場合は、再生が停止して所定時間キー入力が無ければ、この光ディスクのスクリーンセーバ用の画像情報を再生する制御を行い、スクリーンセーバ用の画像情報が記録されていない光ディスクに対して再生動作を行っているときに再生停止した場合は、再生が停止して所定時間キー入力が無ければ、この光ディスクからランダムに読み出した映像情報をスクリーンセーバ画像として再生し、所定時間毎にスクリーンセーバ画像を切り換える制御を行うシステムコントローラを備えたことを特徴とする光ディスク再生装置を提供する。
【００１４】
この構成において、スクリーンセーバ用の画像情報が記録された光ディスクに対して再生動作が行われているときに、ユーザの操作により再生が停止され、この後、ユーザの操作によるキー入力が所定時間無ければ、この光ディスクのスクリーンセーバ用の画像情報が読み出され、スクリーンセーバ画像として再生され、表示装置に表示される。一方、スクリーンセーバ用の画像情報が記録されていない光ディスクに対して再生動作が行われているときに、ユーザの操作により再生が停止され、この後、ユーザの操作によるキー入力が所定時間無ければ、この光ディスクからランダムに映像情報が読み出され、スクリーンセーバ画像として再生され、表示装置に表示され、所定時間毎にスクリーンセーバ画像が切り換えられる。
【００１５】
この構成の光ディスク再生装置によれば、スクリーンセーバの処理時に、光ディスクに予め記録されているスクリーンセーバ用の画像情報をスクリーンセーバ画像として表示でき、または光ディスクからランダムに読み出した映像情報をスクリーンセーバ画像として表示できるようにすることにより、表示装置の画面の焼き付きを防止できることは勿論、スクリーンセーバ画像の多様性を高めることができる。
【００１６】
請求項３の発明では、前記システムコントローラは、映像情報の再生が停止してから所定時間キー入力が無いか否かを判定するキー入力判定手段と、このキー入力判定手段により所定時間キー入力が無いと判定されたとき光ディスクにスクリーンセーバ用の画像情報が有るか否かを判定するスクリーンセーバ画像有無判定手段と、このスクリーンセーバ画像有無判定手段によりスクリーンセーバ用の画像情報が有ると判定されたとき前記光ディスクからスクリーンセーバ用の画像情報を読み出してスクリーンセーバ画像を再生するための制御を行うスクリーンセーバ再生制御手段と、前記スクリーンセーバ画像有無判定手段によりスクリーンセーバ用の画像情報が無いと判定されたとき前記光ディスクからランダムに読み出した映像情報をスクリーンセーバ画像として所定時間再生後に再びランダムに読み出した映像情報をスクリーンセーバ画像として所定時間再生することを繰り返す制御を行う画像再生制御手段と、スクリーンセーバ画像の再生中にキー入力が有ったとき元の再生位置に戻り再生を再開させるための制御を行う再生位置制御手段とを有する。
【００１７】
この構成のシステムコントローラを備えたことにより、再生を停止してスクリーンセーバ処理を行う際、当該光ディスクが予めスクリーンセーバ用の画像情報を記録している光ディスクであるか否かを判定でき、当該光ディスクがスクリーンセーバ用の画像情報を記録している場合は、この記録しているスクリーンセーバ用の画像情報をスクリーンセーバ画像として再生でき、一方、当該光ディスクがスクリーンセーバ用の画像情報を記録していない場合は、当該光ディスクからランダムに映像情報を読み出してスクリーンセーバ画像として再生でき、しかも、ランダムで所定時間の間隔でスクリーンセーバ画像を切り換えることが可能になる。また、スクリーンセーバ画像の再生中にキー入力が有ったときは、元の再生位置に戻り、再生を再開させることができる。
【００１８】
【発明の実施の形態】
以下、添付図面を参照しつつ、本発明の実施の形態について説明する。図１は本発明の一実施形態に係る光ディスク再生装置の構成を示すブロック図である。図１において、この光ディスク再生装置は、ＤＶＤ等の光ディスク１に記録された情報を再生するためにレーザ光を出射すると共に光ディスク１からの反射光を受光する光ピックアップ３と、光ディスク１を回転させるスピンドルモータ２と、このスピンドルモータ２を駆動するスピンドルドライブ回路１９と、光ピックアップ３のトラッキングサーボを行うアクチュエータ（図示せず）を駆動するトラッキングドライブ回路１７と、光ピックアップ３のフォーカスサーボを行うアクチュエータ（図示せず）を駆動するフォーカスドライブ回路１６と、光ピックアップ３を光ディスク１の半径方向に移動させるスレッド４と、このスレッド４を駆動するスレッドドライブ回路１８とを備えている。
【００１９】
また、この光ディスク再生装置は、光ディスク１の再生時に光ディスク１からの再生信号（読取信号）を入力して該再生信号よりＲＦ信号を作成して増幅するＲＦアンプ５と、ＶＣＯ（ｖｏｌｔａｇｅ  ｃｏｎｔｒｏｌｌｅｄ  ｏｓｃｉｌｌａｔｏｒ）を含むＰＬＬ（ｐｈａｓｅ  ｌｏｃｋｅｄ  ｌｏｏｐ）８を備えＲＦアンプ５からのＲＦ信号を入力してデータと同期信号を分離するデータ／同期信号分離回路６と、このデータ／同期分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号をビデオ出力端子２３とオーディオ出力端子２４をそれぞれ介して例えばＴＶモニタ２２に供給するＡＶデコード回路１０とを備えている。
【００２０】
また、このディスク再生装置は、ＲＦアンプ５からのＲＦ信号に含まれ光ディスク１上のトラックの無いミラー面を示すミラー信号を検出してミラー面をカウントするミラー検出回路７と、光ピックアップ３からの再生信号に含まれるトラッキングエラー信号を検出するトラッキングエラー検出回路１１と、光ピックアップ３からの再生信号に含まれるフォーカスエラー信号を検出するフォーカスエラー検出回路１２と、トラッキングエラー検出回路１１からのトラッキングエラー信号に基づいてトラッククロスを検出してトラックパルスを出力するトラッククロス検出回路１３とを備えている。
【００２１】
また、この光ディスク再生装置には、この装置本体の前面などに設けられ装置電源のオン／オフ操作や再生に関する各種操作などを行うための複数のキーを有した操作部２５が備えられている。この操作部２５は、リモコン（リモートコントローラ）２６からの操作指令を示す光信号を受信する受光手段（図示せず）を備え、この受光手段により光信号を電気信号に変換してシステムコントローラ１４に指令信号を入力する。リモコン２６は、装置電源のオン／オフ操作や再生に関する各種操作などを行うための複数のキー（図示せず）を有している。
【００２２】
また、この光ディスク再生装置は、装置全体の処理を行うＣＰＵ１５に従って上記各構成要素を制御するシステムコントローラ１４を備えている。このシステムコントローラ１４は、光ピックアップ３からの再生信号に含まれるフォーカスエラー信号に基づいて光ピックアップ３のフォーカスサーボのための制御、光ピックアップ３からの再生信号に含まれるトラッキングエラー信号に基づいて光ピックアップ３のトラッキングサーボのための制御、操作部２５やリモコン２６からの再生指示信号に従って光ディスク１の再生位置を決めるためスレッドドライブ回路１８を介してスレッド４を駆動して光ピックアップ３を光ディスク１の半径方向に移動させる制御、操作部２５やリモコン２６からの操作信号によりスピンドルドライブ回路１９を介してスピンドルモータ２を回転させる制御、および本実施形態の特徴とするスクリーンセーバに関する制御などを行う。また、システムコントローラ１４には、時間を計時するタイマ２０、および光ディスク１から映像情報をランダムに読み出すための乱数を発生する乱数発生器２１が接続されている。
【００２３】
このシステムコントローラ３０は、スクリーンセーバに関する制御を行うため、映像情報の再生が停止してから所定時間キー入力が無いか否かを判定するキー入力判定手段２７と、このキー入力判定手段２７により所定時間キー入力が無いと判定されたとき光ディスク１にスクリーンセーバ用の画像情報が有るか否かを判定するスクリーンセーバ画像有無判定手段２８と、このスクリーンセーバ画像有無判定手段２８によりスクリーンセーバ用の画像情報が有ると判定されたとき光ディスク１からスクリーンセーバ用の画像情報を読み出してスクリーンセーバ画像を再生するための制御を行うスクリーンセーバ再生制御手段２９と、前記スクリーンセーバ画像有無判定手段２８によりスクリーンセーバ用の画像情報が無いと判定されたとき光ディスク１からランダムに読み出した映像情報をスクリーンセーバ画像として所定時間再生後に再びランダムに読み出した映像情報をスクリーンセーバ画像として所定時間再生することを繰り返す制御を行う画像再生制御手段３０と、スクリーンセーバ画像の再生中にキー入力が有ったとき元の再生位置に戻り再生を再開させるための制御を行う再生位置制御手段３１とを有している。
【００２４】
光ディスクにスクリーンセーバ用の画像情報を予め記録しておき、このスクリーンセーバ用の画像情報が記録された光ディスクに対して再生動作を行っているときに再生停止した場合は、前記キー入力判定手段２７と前記スクリーンセーバ画像有無判定手段２８と前記スクリーンセーバ再生制御手段２９とに従ってスクリーンセーバ画像の制御を行い、スクリーンセーバ用の画像情報が記録されていない光ディスクに対して再生動作を行っているときに再生停止した場合は、前記キー入力判定手段２７と前記スクリーンセーバ画像有無判定手段２８と前記画像再生制御手段３０とに従ってスクリーンセーバ画像の制御を行う。
【００２５】
次に、図２に示すフローチャートを参照して、この実施形態の光ディスク再生装置におけるスクリーンセーバに関する制御動作について説明する。光ディスク１が光ディスク再生装置に挿入され、光ディスク１の映像情報および音声情報が再生されているときに、ユーザが例えばリモコン２６の再生停止キーを操作して、再生が停止すると（ステップＳ１）、タイマ２０が時間の計時を開始し、この時間が所定時間になるまでの間にユーザの操作によるキー入力が無いか否かがキー入力判定手段２７により判定される（ステップＳ２）。
【００２６】
再生停止してからは静止画像が例えばＴＶモニタ２２の表示装置にされているので、表示装置の画面の焼き付きを防止するため、所定時間経ってもキー入力がなければ、スクリーンセーバの処理に移る（ステップＳ３）。そして、この光ディスク１にスクリーンセーバ用のデータ（画像情報）が有るか否かがスクリーンセーバ画像有無判定手段２８により判定される（ステップＳ４）。この判定は、光ディスクに記録されたＴＯＣ（ｔａｂｌｅ    ｏｆ    ｃｏｎｔｅｎｔｓ）情報を読み出すことにより可能である。スクリーンセーバ用のデータが当該光ディスクに記録されている場合は、ＴＯＣ情報にスクリーンセーバ用のデータが記録されていることを示す情報が含まれることになる。
【００２７】
スクリーンセーバ用のデータが光ディスク１に有った場合、スクリーンセーバ再生制御手段２９の制御により、光ピックアップ３を光ディスク１上のスクリーンセーバのデータエリアにシークさせ（ステップＳ５）、そのデータエリアのスクリーンセーバ用の画像情報を読み出してスクリーンセーバ画像を再生し（ステップＳ６）、ＴＶモニタ２２の表示装置に表示させる。したがって、表示装置の画面の焼き付けが防止されることになる。
【００２８】
そして、このスクリーンセーバ画像の再生中（表示中）に、ユーザの操作によるキー入力が有った場合、再生位置制御手段３１の制御により、光ピックアップ３を元の再生位置に移動させてシークさせ、元の再生位置から再生を再開させる。即ち、元の再生位置に戻り、再生を再開させる（ステップＳ８）。
【００２９】
一方、ステップＳ４において、光ディスク１にスクリーンセーバ用のデータが無いと判定された場合、画像再生制御手段３０の制御により、光ピックアップ３を光ディスク１に対してランダムにシークさせ（ステップＳ９）、シークしたデータエリアの映像情報を読み出して静止画像を再生する（ステップＳ１０）。即ち、画像再生制御手段３０は、乱数発生器２１から発生する乱数に基づいて光ピックアップ３をランダムに移動させ、光ディスク１からランダムに映像情報を読み出して、この映像情報をスクリーンセーバ用の静止画像としてＴＶモニタ２２の表示装置に表示する。
【００３０】
このようにして、ＴＶモニタ２２の表示装置にはスクリーンセーバとしての静止画像が表示され、所定時間経過すると（ステップＳ１１）、次にランダムに読み出され映像情報をスクリーンセーバ用の静止画像として、ＴＶモニタ２２の表示装置に表示する。したがって、表示装置に表示されるスクリーンセーバ画像が所定時間間隔で切り換えられ、表示装置の画面の焼き付けが防止されることになる。
【００３１】
そして、このスクリーンセーバ画像の再生中（表示中）に、ユーザの操作によるキー入力が有った場合、再生位置制御手段３１の制御により、光ピックアップ３を元の再生位置に移動させてシークさせ、元の再生位置から再生を再開させる。即ち、元の再生位置に戻り、再生を再開させる（ステップＳ１３）。
【００３２】
なお、上記実施形態では、光ディスク１にスクリーンセーバ用の画像が記録されていない場合、光ディスク１からランダムに読み出した映像情報をスクリーンセーバ用の静止画像にしたが、スクリーンセーバ用の画像は静止画像に限らず、動画像をスクリーンセーバ用の画像に用いても良い。
【００３３】
【発明の効果】
以上のように本発明によれば、キー入力判定手段とスクリーンセーバ画像有無判定手段とスクリーンセーバ再生制御手段と画像再生制御手段と再生位置制御手段とを有するシステムコントローラを備え、光ディスクにスクリーンセーバ用の画像情報を予め記録しておき、このスクリーンセーバ用の画像情報が記録された光ディスクに対して再生動作を行っているときに再生停止した場合は、前記キー入力判定手段と前記スクリーンセーバ画像有無判定手段と前記スクリーンセーバ再生制御手段とに従ってスクリーンセーバ画像の制御を行い、スクリーンセーバ用の画像情報が記録されていない光ディスクに対して再生動作を行っているときに再生停止した場合は、前記キー入力判定手段と前記スクリーンセーバ画像有無判定手段と前記画像再生制御手段とに従ってスクリーンセーバ画像の制御を行うので、スクリーンセーバの処理時に、光ディスクに予め記録されているスクリーンセーバ用の画像情報をスクリーンセーバ画像として表示でき、または光ディスクからランダムに読み出した映像情報をスクリーンセーバ画像として表示できるようにすることにより、表示装置の画面の焼き付きを防止できることは勿論、スクリーンセーバ画像の多様性を高めることができる。
【００３４】
また、本発明によれば、光ディスクにスクリーンセーバ用の画像情報を予め記録しておき、このスクリーンセーバ用の画像情報が記録された光ディスクに対して再生動作を行っているときに再生停止した場合は、再生が停止して所定時間キー入力が無ければ、この光ディスクのスクリーンセーバ用の画像情報を再生する制御を行い、スクリーンセーバ用の画像情報が記録されていない光ディスクに対して再生動作を行っているときに再生停止した場合は、再生が停止して所定時間キー入力が無ければ、この光ディスクからランダムに読み出した映像情報をスクリーンセーバ画像として再生し、所定時間毎にスクリーンセーバ画像を切り換える制御を行うシステムコントローラを備えたので、スクリーンセーバの処理時に、光ディスクに予め記録されているスクリーンセーバ用の画像情報をスクリーンセーバ画像として表示でき、または光ディスクからランダムに読み出した映像情報をスクリーンセーバ画像として表示できるようにすることにより、表示装置の画面の焼き付きを防止できることは勿論、スクリーンセーバ画像の多様性を高めることができる。
【図面の簡単な説明】
【図１】本発明の一実施形態に係る光ディスク再生装置の構成を示すブロック図である。
【図２】本発明の一実施形態に係る光ディスク再生装置におけるスクリーンセーバに関する制御を説明するためのフローチャートである。
【符号の説明】
１      光ディスク
１４    システムコントローラ
２７    キー入力判定手段
２８    スクリーンセーバ画像有無判定手段
２９    スクリーンセーバ再生制御手段
３０    画像再生制御手段
３１    再生位置制御手段
【図１】
2004336262.tif 000003
【図２】
2004336262.tif 000004